(57)【特許請求の範囲】
【請求項１】
片面に磁気層が形成された磁気カードとプラスチックカードが、磁気カードの磁気層が形成されていない面にて易剥離性フィルムを介して分離可能に接着された構成からなる分離できるカードであって、前記２枚重なった状態のカードを分離することにより、前記易剥離性フィルムが層間で剥離して当該層間剥離した２枚フィルムがそれぞれのカードに接着して残るか、或いは、前記易剥離性フィルムが一方のカードにのみ接着して残ることを特徴とする分離できるカード。
【請求項２】
片面に磁気層が形成された磁気カードとプラスチックカードが、磁気カードの磁気層が形成されていない面にて層間で剥離する易剥離性フィルムを介して分離可能に接着された構成からなる分離できるカードであって、前記易剥離性フィルムは、その一方の表面が磁気カードの磁気層が形成されていない面と熱圧着により接着しており、その他方の面がプラスチックカードの表面と熱圧着により接着しており、さらに前記２枚重なった状態のカードを分離することにより、前記易剥離性フィルムが層間で剥離して当該層間剥離した２枚フィルムが分離された磁気カードとプラスチックカードにそれぞれ接着して残ることを特徴とする分離できるカード。
【請求項３】
片面に磁気層が形成された磁気カードとプラスチックカードが、磁気カードの磁気層が形成されていない面にて単層の２軸延伸ポリエチレンテレフタレートフィルムである易剥離性フィルムを介して分離可能に接着された構成からなる分離できるカードであって、前記易剥離性フィルムは、その一方の表面が接着層を介して磁気カードの磁気層が形成されていない面と接着しており、その他方の面がプラスチックカードの表面と分離可能に接着しており、前記プラスチックカードには切欠が形成されており、前記２枚重なった状態のカードを分離することにより、前記易剥離性フィルムが磁気カードの磁気層が形成されていない面にのみ接着して残ることを特徴とする分離できるカード。
【発明の詳細な説明】
【技術分野】
【０００１】
本発明は、磁気層へ個別情報を書き込む際、及び顔写真等の画像を形成する際には、１枚のカードとして処理することができ、その後２枚のカードに分離して使用することができる分離できるカードに関する。
【背景技術】
【０００２】
従来、分離できるカードとしては、接着面に再接着可能なタック糊層を設けたカードゲームシールと宛先シールをそれぞれプレミアムカードと案内カードに剥離可能に接着し、更に前記シールを接着していない前記カードの対向面に圧着用透明フィルムがそれぞれ貼着されており、前記フィルム同志が熱圧着により疑似接着され再接着不能とした構成の多層型情報カード（例えば、特許文献１参照）、ないしは、一方の面にはカードの名称またはカードの名称を表すロゴが印刷され、他方の面にはスキャナーにより読み取ることのできるバーコードが印刷され、折り曲げることにより分離可能に一体的に連結された親カードおよび１又は複数の子カードと、親カードおよび子カードの双方に設けられた会員本人を表す同一のバーコードおよび同一の認識番号と、親カードに剥離可能に貼り付けられ、同一のバーコードと同一の認識番号が印刷されたシールからなる会員カード（例えば、特許文献２参照）が知られている。
【０００３】
しかしながら、前者の多層型情報カードでは、疑似接着され再接着不能とされた２枚のカードは、カードゲームシールが貼着されたプレミアムカードと、宛先シールが貼着された案内カードからなるものであって、疑似接着され再接着不能とされたカードがいずれも磁気層を備えたものではなく個人情報を記録して会員カード等として利用することができないという問題がある。また、後者の会員カードでは、折り曲げることにより分離可能に一体的に連結された親カードおよび１又は複数の子カードからなるカードであるため、汎用のカード発行機を使用して発行することができないという問題がある。
【先行技術文献】
【特許文献】
【０００４】
【特許文献１】実用新案登録公報第２５８６９０８号
【特許文献２】登録実用新案公報第３０７３８６０号
【発明の概要】
【発明が解決しようとする課題】
【０００５】
本発明の目的は、２枚の磁気カード、又は磁気カードとプラスチックカードが分離可能に接着された構成の分離できるカードを提供することである。
【課題を解決するための手段】
【０００６】
片面に磁気層が形成された磁気カードとプラスチックカードが、磁気カードの磁気層が形成されていない面にて易剥離性フィルムを介して分離可能に接着された構成からなる分離できるカードであって、前記２枚重なった状態のカードを分離することにより、前記易剥離性フィルムが層間で剥離して当該層間剥離した２枚フィルムがそれぞれのカードに接着して残るか、或いは、前記易剥離性フィルムが一方のカードにのみ接着して残ることを特徴とする分離できるカードである。
【０００７】
片面に磁気層が形成された磁気カードとプラスチックカードが、磁気カードの磁気層が形成されていない面にて層間で剥離する易剥離性フィルムを介して分離可能に接着された構成からなる分離できるカードであって、前記易剥離性フィルムは、その一方の表面が磁気カードの磁気層が形成されていない面と熱圧着により接着しており、その他方の面がプラスチックカードの表面と熱圧着により接着しており、さらに前記２枚重なった状態のカードを分離することにより、前記易剥離性フィルムが層間で剥離して当該層間剥離した２枚フィルムが分離された磁気カードとプラスチックカードにそれぞれ接着して残ることを特徴とする構成である。
【０００８】
また、片面に磁気層が形成された磁気カードとプラスチックカードが、磁気カードの磁気層が形成されていない面にて単層の２軸延伸ポリエチレンテレフタレートフィルムである易剥離性フィルムを介して分離可能に接着された構成からなる分離できるカードであって、前記易剥離性フィルムは、その一方の表面が接着層を介して磁気カードの磁気層が形成されていない面と接着しており、その他方の面がプラスチックカードの表面と分離可能に接着しており、前記プラスチックカードには切欠が形成されており、前記２枚重なった状態のカードを分離することにより、前記易剥離性フィルムが磁気カードの磁気層が形成されていない面にのみ接着して残る構成である。
【発明の効果】
【００１１】
請求項１〜３にかかる発明では、磁気カードの発行時に磁気カードにプラスチックカードをベタ付けすることができ、使用時に磁気カードとプラスチックカードに分離できるので、プラスチックカードをキャンペーンカード、プレミアムカード、抽選カード等とすることにより、顧客へのサービスをアップすることが可能となる。
【００１２】
請求項３にかかる発明では、切欠をきっかけにして２枚のカードを剥離させて分離するのが容易となる。
【００１３】
請求項１〜３にかかる発明では、磁気カードとプラスチックカードが接着された分離できるカードを汎用のカード発行機を使用して発行することができる。
【図面の簡単な説明】
【００１４】
【図１】本発明の一実施形態を示す平面図。
【図２】図１のII−II線断面図。
【発明を実施するための形態】
【００１５】
以下、図面に基づいて本発明の実施の形態を説明する。
図１は本発明の一実施形態を示す平面図、図２は図１のII−II線断面図であり、３は磁気カード、４はプラスチックカード、５は易剥離性フィルム、６’は切欠、３１，３３はオーバーシート層、３２はコアー層、３４は磁気層、３５は画像層、４１は印刷層をそれぞれ表す。
【００１６】
本発明の分離できるカードの一実施形態は、図１、図２に示すとおりである。コアー層３２の両面にオーバーシート層３１，３３が積層されオーバーシート層３１面に磁気層３４と画像層３５が形成された磁気カード３のオーバーシート層３３面に、プラスチックカード４が剥離性フィルム５を介して分離可能に接着され、プラスチックカード４の表面にはキャンペーン情報やプラスチックカード４の利用方法を表示した印刷層４１が形成され、プラスチックカード４の角部に切欠６’が形成されている構成である。一実施形態においても、切欠６’の箇所を軽く曲げることにより、易剥離性フィルム５を層間で剥離させて磁気カード３とプラスチックカード４を簡単に分離することができる。
【００１７】
一実施形態の分離できるカードは、カード発行機を通し、個別情報を記録して磁気カード３を発行する際に、磁気カード３にプラスチックカード４が分離可能に接着されているので、磁気カード３にプラスチックカード４をベタ付けすることが可能となり、磁気カード３を発行した顧客にもれなくプラスチックカード４を提供することができる。発行された磁気カード３から分離したプラスチックカード４は、宣伝広告用カード、キャンペーン用カード、当たり外れを印刷したくじカード、クーポン券用カード等として顧客へのサービスカードとして利用することができる。また、プラスチックカード４に初回のみのパスワードであるワンタイムパスワードを印字しておき、通常利用は磁気カード３を利用する用途にも使用できる。
【００１８】
磁気カードを構成する、コアー層３２の厚を０．２７〜０．２９ｍｍとし、オーバーシート層３１，３３の厚さを０．１０ｍｍ前後とし、プラスチックカードの厚さを０．２７〜０．２９ｍｍとするのが好ましい。上記の厚さとすることにより、接着された分離できるカードの全体の厚さを０．６８〜０．８４ｍｍとすることができるので、汎用のカード発行機及び画像形成装置を使用して磁気カードに個別情報を記録するとともに顔写真等の画像を形成することができる。
【００１９】
易剥離性フィルムとしては、２枚の磁気カードの磁気層が形成されていない面間、ないしは磁気カードの磁気層が形成されていない面とプラスチックカード間に、易剥離性フィルムを挿入して熱圧着することにより、磁気カードのオーバーシート層ないしはプラスチックカードと易剥離性フィルムが接着し、易剥離性フィルムが層間で剥離して接着された２枚のカードを分離できる構成のものが使用できる。上記の易剥離性フィルムとしては、例えば、特開２０００−２６３７１６号公報に記載されているような、共重合ポリエステル等の樹脂からなる第１ポリマー層と、第１ポリマー層と非相溶なエチレン共重合ポリプロピレン等の樹脂からなる第２ポリマー層からなり、第１ポリマー層と第２ポリマー層と第１ポリマー層とが順に積層された３層構成からなり、２層間の接着力が０．１〜２０ｇ／ｃｍの範囲にあり、第１ポリマー層の厚さが１〜５μｍであり、かつ第２ポリマー層の厚さが６〜５０μｍである構成の易剥離性フィルム等が使用できる。
【００２０】
本発明の実施形態においては、層間で剥離する易剥離性フィルムを２枚のカードの磁気層が形成されていない面間に挿入して２枚のカードを熱圧着することにより分離可能に接着する構成としたが、２枚のカードの磁気層が形成されていない面間に厚さが１２〜５０μｍの２軸延伸ポリエチレンテレフタレートフィルムを挿入して１１０〜１２０℃で２分間程度熱圧着することにより、２枚のカードを分離可能に接着することができる。この場合は、カードを分離した際に、２軸延伸ポリエチレンテレフタレートフィルムをカードから剥離させて除去することになる。２軸延伸ポリエチレンテレフタレートフィルムをどちらかのカードに接着させて残したい場合は、２軸延伸ポリエチレンテレフタレートフィルムの一方の面に接着層を設けるようにすればよく、その場合は、切欠が形成されたカード面で剥離させるようにする。
【００２１】
磁気カードを構成するコアー層、オーバーシート層として使用できる樹脂は、剛性があり強度的に優れた熱可塑性樹脂であれば特に限定されないが、ポリ塩化ビニル、ポリエチレンテレフタレート、ポリブチレンテレフタレート、ＰＥＴ−Ｇ等の共重合ポリエステル樹脂、ＡＢＳ樹脂等が使用できる。プラスチックカードを構成する樹脂としては、ポリ塩化ビニル、ポリプロピレン、ポリスチレン、ＰＥＴ−Ｇ等の共重合ポリエステル樹脂、ＡＢＳ樹脂等が使用できる。
【００２２】
一実施形態の分離できるカードの製造方法は、磁気ストライプが積層された磁気シート用基材の磁気ストライプが形成されていない面に、所定の印刷が施されるとともに所定位置に切欠が形成されたプラスチックシートを見当を合わせて重ね合わせ、磁気シート用基材とプラスチックシート間に易剥離性フィルムを挟んで熱プレスして接着した後に、所定位置にてカード形状に打ち抜くことにより、磁気カードとプラスチックカードからなる分離できるカードを作製することができる。
【００２３】
カードを分離し易くするための切欠の代わりに、オーバーシート層の外面のカードが作製された際に角部となる領域にシリコーンを含むインキを使用して非接着層を予めパターン状に印刷しておくこともできる。また、カードを作製した後に、カードの角部となる領域に０．４０〜０．４８ｍｍの高さのエンボス加工を施してもよく、エンボスはカードの発行と同時に行うことができる。
【符号の説明】
【００２４】
３                                    磁気カード
４                                    プラスチックカード
５                                    易剥離性フィルム
６’                                  切欠
３１，３３                            オーバーシート層
３２                                  コアー層
３４                                  磁気層
３５                                  画像層
４１                                  印刷層
【図１】
0004817030.tif 000002
【図２】
0004817030.tif 000003